(57)【特許請求の範囲】
【請求項１】
第１の平面側および第２の平面側、中心軸穴、ならびに外縁部を有する円形コアと、
前記コアの前記外縁部にある複数の切断要素と、
前記コアの前記外縁部から半径方向内側に延び、前記コアの前記第１の平面側の第１の開口、および前記コアの前記第２の平面側の第２の開口をそれぞれが含む１つまたは複数のオフセットガレットであって、前記第１および第２の開口は隣接するが、少なくとも部分的に互いにずれて、前記オフセットガレットの少なくとも一部は見通せないものとされる、１つまたは複数のオフセットガレットと、
を含む丸鋸ブレードにおいて、
前記第１の開口は、前記コアの前記第１の平面側上に、かつ２つの隣接する切断要素の間に第一の首部分を含み、そして前記第２の開口は、前記コアの前記第２の平面側上に、かつ前記第一の首部分と同じ前記２つの隣接する切断要素の間に第二の首部分を含み、
前記第１および第２の開口間に重なりがなくて、前記オフセットガレットのどの部分も見通せないものとされる、丸鋸ブレード。
【請求項２】
前記第１の開口の少なくとも一部が、前記第２の開口の一部の鏡像となるように、前記第１および第２の開口が対称に配置される、請求項１に記載の丸鋸ブレード。
【請求項３】
前記第１および第２の平面側は、互いに動作可能に結合されて前記コアを形成する別個の部片である、請求項１に記載の丸鋸ブレード。
【請求項４】
前記コアは、前記第１および第２の平面側間に結合された、音波減衰材料の中間層をさらに含むサンドイッチ型コアである、請求項３に記載の丸鋸ブレード。
【請求項５】
隣接する切断要素間に少なくとも１つのオフセットガレットがある、請求項１に記載の丸鋸ブレード。
【請求項６】
各オフセットガレットには、その形状に楕円性がある、請求項１に記載の丸鋸ブレード。
【請求項７】
第１の平面側および第２の平面側、中心軸穴、前記第１および第２の平面側間に挟まれた音波減衰材料の中間層、ならびに外縁部を有する円形コアと、
前記コアの前記外縁部にある複数の切断要素と、
前記コアの前記外縁部から半径方向内側に延び、前記コアの前記第１の平面側の第１の開口、および前記コアの前記第２の平面側の第２の開口をそれぞれが含む１つまたは複数のオフセットガレットであって、前記第１および第２の開口は隣接するが、少なくとも部分的に互いにずれて、前記オフセットガレットの少なくとも一部は見通せないものとされる、オフセットガレットと、
を含む丸鋸ブレードにおいて、
前記第１の開口の少なくとも一部が、前記第２の開口の一部の鏡像となるように、前記第１および第２の開口が対称に配置され、前記第１の開口は、前記コアの前記第１の平面側上に、かつ２つの隣接する切断要素の間に第一の首部分を含み、そして前記第２の開口は、前記コアの前記第２の平面側上に、かつ前記第一の首部分と同じ前記２つの隣接する切断要素の間に第二の首部分を含み、
前記第１および第２の開口間に重なりがなくて、前記オフセットガレットのどの部分も見通せないものとされる、丸鋸ブレード。
【請求項８】
前記第１および第２の平面側は、互いに動作可能に結合されて前記コアを形成する別個の部片である、請求項７に記載の丸鋸ブレード。
【請求項９】
前記音波減衰材料には、コルク、エポキシ、にかわ、樹脂、銅、および軟鉄の少なくとも１つが含まれる、請求項７に記載の丸鋸ブレード。
【請求項１０】
前記切断要素には、結合された砥粒セグメント、砥粒の単層、または歯のうちの１つが含まれる、請求項７に記載の丸鋸ブレード。
【請求項１１】
第１の平面側および第２の平面側、中心軸穴、ならびに外縁部を有する円形コアであって、前記第１および第２の平面側は、結合材料および機械式留め具の少なくとも１つによって動作可能に結合される、円形コアと、
前記コアの前記外縁部にある複数の切断要素であって、結合された砥粒セグメント、砥粒の単層、または歯のうちの１つが含まれる複数の切断要素と、
前記コアの前記外縁部から半径方向内側に延び、前記コアの前記第１の平面側の第１の開口、および前記コアの前記第２の平面側の第２の開口をそれぞれが含む１つまたは複数のオフセットガレットであって、前記第１および第２の開口は隣接するが、少なくとも部分的に互いにずれて、前記オフセットガレットの少なくとも一部は見通せないものとされる、１つまたは複数のオフセットガレットと、
を含む丸鋸ブレードにおいて、
前記第１の開口は、前記コアの前記第１の平面側上に、かつ２つの隣接する切断要素の間に第一の首部分を含み、そして前記第２の開口は、前記コアの前記第２の平面側上に、かつ前記第一の首部分と同じ前記２つの隣接する切断要素の間に第二の首部分を含み、
前記第１および第２の開口間に重なりがなくて、前記オフセットガレットのどの部分も見通せないものとされる、丸鋸ブレード。
【請求項１２】
前記第１の開口の少なくとも一部が前記第２の開口の一部の鏡像となるように、前記第１および第２の開口が対称に配置される、請求項１１に記載の丸鋸ブレード。
【発明の詳細な説明】
【技術分野】
【０００１】
関連出願
本願は、米国特許法１１９条（ｅ）に基づき、２００８年１月２２日に出願の米国仮特許出願第６１／０１１，８０５号の利益を主張するものであり、この特許は、参照によりその全体を本明細書に援用するものとする。
【０００２】
本発明は、鋸ブレードに関し、より詳細には、疲労を軽減し、ブレードの寿命を延ばすように設計されたガレットを有する丸鋸ブレードに関する。
【背景技術】
【０００３】
従来の丸鋸ブレードは通常、その周縁部に沿って離間した一連のカッタまたは歯を有する鋼製の円形コアを含む。ブレードの周縁部から内側に延びる切欠きの形態のガレットは、カッタ間に空間を形成するようにしばしば配置されて、ブレードの応力を軽減し、切り屑を除去することにより切断に寄与する。様々なガレット構成を使用することができる。特定のブレードに採用される実際のガレット構成は、そのブレードを使用すると予想される切断用途によって決まる。
【０００４】
比較的幅狭のガレットを有する鋸ブレードは、携帯用電動鋸を用いた建設材料の切断と、もう１つは、円滑な切断動作が望ましい固定機械での石の切断用途とに有用であると分かっている。切断動作の円滑性は、例えば、比較的幅狭のガレットを使用するなどして、カッタを互いに比較的近接して置くようにした場合に高くなることが分かっている。その一方で、特に、ブレードが高い半径方向圧力を受ける場合に、これらのガレットの小さい丸みの付いた端部からクラックが広がる傾向がある。この問題は、疲労境界（ｆａｔｉｇｕｅ  ｂａｒｒｉｅｒ）を超えたブレードで深刻になる。あるいは、比較的幅広のガレットを有する鋸ブレードを使用することもできる。これらのガレットは通常、それらの内側端部の半径が比較的大きくなっており、ブレードに比較的高い疲労強度をもたらすことが分かっている。したがって、これらのガレットは、他のブレードタイプでは応力によるクラックがガレットから広がるために不良になる傾向がある、アスファルトまたはコンクリートの床の切断などの比較的高応力の切断環境に有用である。
【０００５】
鍵穴形状のガレットは、幅狭のガレットと幅広のガレットの両方の利点を併せ持とうとするものである。これらのガレットにより、（例えば、切断動作が円滑に行われるように）ブレードのカッタを互いに比較的近接して配置することが可能になり、その一方で、さらに、（例えば、クラックの形成を減らすのに寄与するように）その半径方向内側端部で各ガレットに比較的大きな半径が付与される。鍵穴ガレットは、用途によっては幅狭ガレットおよび幅広ガレットに勝る改良された特性を示すことができるが、欠点がないわけではない。例えば、鍵穴ガレットで得られる結果は、鋼や、比較的異種の加工材料混合物、例えば、鉄骨鉄筋コンクリートなどの切断が困難な材料を使用する用途では、決して最上のものではなかった。これらの条件下で、クラックがガレットの端部または側部から広がると分かっており、これは、使用者の安全および鋸の性能を損なう恐れがある。
【発明の概要】
【発明が解決しようとする課題】
【０００６】
したがって、丸鋸ブレードに適した改良されたガレットが必要である。
【課題を解決するための手段】
【０００７】
本発明の一実施形態は丸鋸ブレードを提供する。丸鋸ブレードは、第１の平面側および第２の平面側、中心軸穴、ならびに外縁部を有する円形コアを含む。複数の切断要素がコアの外縁部にある。さらに、コアの外縁部から半径方向内側に延びる１つまたは複数のオフセットガレットがある。各オフセットガレットは、コアの第１の平面側にある第１の開口、およびコアの第２の平面側にある第２の開口を含む。第１および第２の開口は隣接するが、互いに少なくとも部分的にずれており、オフセットガレットの少なくとも一部は見通せない（すなわち、第１および第２の開口の少なくとも一部は互いに重なり合っていない）。そのような一実施形態では、第１および第２の開口間に重なりがないので、オフセットガレットのどの部分も見通せない。第１および第２の開口は、第１の開口の少なくとも一部が第２の開口の一部の鏡像となるように、例えば、対称に配置することができる（ただし、そのような対称性は必須ではない）。特定の一例では、コアは、第１および第２の平面側間に音波減衰材料（例えば、コルク、エポキシ、にかわ、樹脂、銅、および軟鉄の少なくとも１つ）の中間層をさらに含むサンドイッチ型のコアとされる。例えば、第１および第２の平面側は、（例えば、適切な結合材料および機械式留め具の少なくとも１つによって）互いに動作可能に結合されてコアを形成する別個の部片とすることができる。コアは、例えば、鋼および／または非金属材料で作ることができる。切断要素には、例えば、固定砥粒セグメント、砥粒単層、および／または歯を含めることができる。特定の一構成では、隣接する切断要素間に少なくとも１つのオフセットガレットがある。別の特定の構成では、各オフセットガレットは、その形状に楕円性を含む。
【０００８】
本明細書で説明する特徴および利点はすべてを含めたものではなく、特に、それ以上の多数の特徴および利点が、図面、明細書、および特許請求の範囲から当業者に明らかになるであろう。さらに、明細書で使用する専門用語は、主に可読性および教示目的で選択され、本発明の対象の範囲を限定するためではないことに留意されたい。
【０００９】
添付の図面では、参照符号は、様々な図を通じて同じ部品を指す。図面は必ずしも一定の縮尺ではなく、それよりも本発明の原理を図示することに重きを置いた。
【図面の簡単な説明】
【００１０】
【図１ａ】本発明の実施形態によるオフセットガレットを用いて構成された丸鋸ブレードを示している。
【図１ｂ】本発明の実施形態によるオフセットガレットを用いて構成された丸鋸ブレードを示している。
【図１ｃ】本発明の実施形態による、図１ａに示したオフセットガレットに関する詳細図を示している。
【図１ｄ】本発明の実施形態による、図１ａに示したオフセットガレットに関する詳細図を示している。
【図１ｅ】本発明の実施形態による、図１ａに示した砥粒セグメントに関する詳細図を示している。
【図２ａ】本発明の実施形態によるオフセットガレットを用いて構成された丸鋸ブレードの斜視図を示している。
【図２ｂ】本発明の実施形態によるオフセットガレットを用いて構成された丸鋸ブレードの斜視図を示している。
【図２ｃ】本発明の実施形態によるオフセットガレットを用いて構成された丸鋸ブレードの斜視図を示している。
【発明を実施するための形態】
【００１１】
丸鋸ブレード用の改良したガレットが開示される。ガレットは、鋸ブレードの用途に応じた、基本的に任意の適切な形状（例えば、幅狭型、幅広型、鍵穴型、英数字型、および図形型構造）で構成することができる。ガレットは、重ならないようにまたは一部のみ重なるように互いにずれた（ブレードのそれぞれの側にある）両側の開口を含み、耐クラック性があり、従来のガレット構造に特有の笛状音（ｗｈｉｓｔｌｅ−ｎｏｉｓｅ）を大幅に低減する。
【００１２】
総括
従来のサンドイッチ型鋸ブレードは通常、２つの外側鋼層と、より弾性のある異なる材料（例えば、コルク、エポキシ、にかわ、樹脂、銅、または軟鉄）の中間層または「挟み込まれた」層とを含む。このサンドイッチ型ブレードの目的は、作業中の騒音を低減することである。前記のように、サンドイッチ型のブレードを含めた既存のブレードは、ブレードの周縁部から内側に延びる切欠きの形態のガレットを有する。これらのガレットは、カッタ間に空間を形成するように配置されることが多く、切断を手助けし、切断作業中および製造工程時の応力を軽減する。従来のサンドイッチ型ブレードによれば、両方の外側鋼製コアにあるガレットは完全に合致する。そのような構造により、ランドの長さが最大限になり、ブレード使用時に最大限の空気流がガレットを通過することが可能になる。
【００１３】
対照的に、本発明の実施形態はオフセットガレットを採用する。各オフセットガレットは、ブレードの片側にある開口を含み、この開口は、ブレードの他方の側の対応する開口からずれている。このように、ブレード内に見通せるガレット開口が全くないか、あるいはブレード内に部分的にのみ見通せるガレット開口がある（オフセットガレット開口の限られた部分が重なる）。さらに、ガレット開口は、カッタのために十分なランド長さをとることができるように、十分に近接することができる。したがって、（ガレット開口が部分的に重なるかどうかに応じて）ブレードが回転している間にガレットを通る空気流が減少したり、または空気流が少しもなかったりする。最大限に見通せる従来のガレットを有するブレードに作用するこの空気流により、切断するときに、さらにはアイドリング回転数のときでさえ笛状音が発生する。この笛音は高周波騒音であり、人間の耳には不快である。本明細書で説明するオフセットガレットを使用して、そのような騒音を大幅に低減するか、またはそうでない場合は完全になくすことができる。さらに、ブレード内の見通せるガレット穴がなくなるか、またはそうでない場合は小さくなるので、ガレット領域でブレードの剛性が高くなる。さらには、この高くなった剛性は、クラックの発生を回避してブレード寿命を長くするのに寄与する。
【００１４】
前記のように、オフセットガレットは、特定のガレット形状と結びつくことはない。より正確に言えば、ランドの長さがカッタを所望通りに配置するのに十分でありさえすれば、あらゆるガレット形状および構造を使用することができる。さらに、オフセットガレットをサンドイッチ型ブレード（例えば、２つの外側層および中間層）と共に使用するか、またはオフセットガレット開口を実現可能にする他の任意のブレード構造と共に使用することができる。例えば、ブレード構造には、互いに直接結合された２つの別個の外側層（中間層はない）、または単一一体構造コアの２つの外側層を含めることができる。鋸ブレードの切断要素は、（木材やプラスチックなどを切断するための）歯や、（石材や他の非常に硬い材料などを切断するための）砥粒セグメントを用いて構築することができる。
【００１５】
鋸ブレードおよびガレット実施例
図１ａ〜１ｄは、本発明の実施形態によるオフセットガレットを用いて構成された丸鋸ブレードを示している。見て分かるように、丸鋸ブレード１０は、一連のオフセットガレット１６によって分離された周縁切断要素１２を有する。
【００１６】
示した実施形態では、ブレード１０は、軸穴１４を有するコア２１を含み、軸穴１４を通じて、丸鋸のスピンドルまたは他の適切な機械に従来と同様に（例えば、ねじ付き留め具を用いて）取り付け、留めることができる。実施形態によっては、ブレード１０は、米国特許出願公開第２００６／０１８５４９２号明細書に記載のブッシュ、および／または米国特許出願公開第２００６／０２６６１７６号明細書に記載の、複数の穴径に対処するためのアセンブリをさらに含むことができる。これらの特許出願のそれぞれは、参照によりその全体を本明細書に援用するものとする。
【００１７】
本発明の実施形態に従って構成された鋸ブレードは、様々な用途に使用することができる。例えば、鋸ブレード１０は、ガソリン駆動の携帯鋸（例えば、Ａｎｄｒｅａｓ  Ｓｔｉｈｌ  ＡＧによって製造されるＳＴＩＨＬ  ＴＳ７６０）に取り付けることができ、鋼板を乾式切断するのに使用できる。さらに、鋸ブレード１０は、床鋸（例えば、Ｓａｉｎｔ−Ｇｏｂａｉｎ  ＳＡによって製造されるＣｌｉｐｐｅｒ  ＣＳＢ１  Ｐ１３）に取り付けることができ、コンクリートを湿式切断するのに使用することができる。さらに、鋸ブレード１０は、自動式１４馬力（１０．３ｋＷ）切断鋸盤（例えば、ＨＵＡＲＤによって製造されるＨＵＡＲＤ  ３０Ｖ５３）に取り付けることができ、鋼またはプラスチック管を切断するのに使用することができる。多数の適切な機械および用途が本開示から明らかになるであろう。
【００１８】
示したように、コア２１は形状が略円形である。例示的な一実施形態では、コアは、機械的に（例えば、溶接、リベット、ならびに／またはナットおよびボルト装置によって）互いに直接留められた２つの別個の外側層を含む。あるいは、コア２１は、コルク、にかわ、エポキシ、または他の適切な制振材料（例えば、樹脂、銅、および軟鉄）などの騒音減衰材料の内側層を、２つの別個の外側層が挟み込むサンドイッチ型コアとすることもできる。あるいは、オフセットガレット１６を（例えば、現場で、プレス成形を経て機械加工して、またはその他の方法で形成して）設けることができさえすれば、コア２１は、適切な計測または成形プロセス（例えば、金属鋳造、射出成形、熱間圧縮成形、冷間圧縮成形など）を通じて一体で形成することができる。コア２１の外側層は、それらが実際上別個であるかまたは一体であるかにかかわらず、手近にあって、１つまたは複数の切断用途に対して十分な強度を有する実質的に任意の材料で製造することができる。適切な材料の例には、鋼、アルミニウム、チタン、青銅、それらの複合材および合金、ならびにそれらの組み合わせが挙げられる（例えば、ＡＮＳＩ４１３０鋼、アルミニウム合金２０２４、６０６５、７１７８）。あるいは、用途によっては、強化プラスチックまたは非金属複合材を使用してコア２１を構築することができる。
【００１９】
コア２１は、切断要素１２およびオフセットガレット１６のほかに他の特徴部を有することができる。例えば、特定の一実施形態では、コア２１は、軸穴１４およびブレード１０の周縁部と同軸に、かつそれらの間に配置された円周に沿って、主コア領域を貫通する１つまたは複数の孔を含む。これらの孔は、ブレード１０の回転動作中に、所定の切り込み深さに対応する、コア２１を貫通する環状窓を形成するように配置される。１つまたは複数の切り込み深さゲージを有する丸鋸ブレードについてのこれ以上の詳細は、例えば、米国特許第７，２１０，４７４号明細書に提示されており、この特許は、参照によりその全体を本明細書に援用するものとする。ブレードのバランスをとる、ブレードの供給元を示す、ブレードの動作音を低減する、およびブレードの適切な取り付けを示す、などの他の機能上の特徴を採用することもできる。
【００２０】
図１ｃおよび図１ｄに最もよく示すように、この例示的な実施形態の各ガレット１６は、（図１ｃに開口２５、２７として示した）涙のしずく形状の２つの開口を含む。特に、開口２５はコア２１の一方の側にあり、開口２７はコア２１の他方の側にある。２つの開口２５、２７は互いにずれており、開口２５が開口２７の鏡像になるように、２つの開口を対称に分離する（図１ｃに一点鎖線で示した架空の）平面３１に対して位置を合わされる。ガレット１６の各開口２５、２７は、円形ブレードの周縁部から半径方向内側に延びる平行な側壁によって画定される首部分１８を含む。側壁の一方は、首部分１８の半径方向内側端で他方から（約４５°）それて、次いで弓形ベース部２０を形成する。示すように、ベース部２０は、（側部および／または底部で）その形状に楕円性を含み、この楕円性は、耐クラック性をさらに高めるように選択されている。ただし、前記のように、本明細書で説明したオフセットガレット１６は、任意の適切な構造（形状、パターンなど）を用いて使用することができ、本発明は、任意の特定の構造または形状または形状セットに限定されることを意図するものではないことに留意されたい。さらに、代替の実施形態では、開口２５、２７は部分的に重なることができることに留意されたい。開口２５、２７間の重なり具合は変えることができ、そのような実施形態の中には、１〜７５％の範囲をとるものもある（例えば、開口２５の２５％以上は開口２７と重ならない）。開口２５、２７間の重なり具合はより高くすることができ（例えば、約９９％）、重なり具合がそのようにより高くなるにつれて動作音の程度もより高くなる。当然ではあるが、開口２５が開口２７の鏡像になるように、開口２５、２７が対称に配置されることに関する説明は、そのように部分的にずらしたガレット構造にも同様に適用できる。そのような場合、鏡像は通常、開口２５、２７の重なっていない部分に一致する。
【００２１】
この例示的な実施形態では、切断要素１２は、周縁部またはコア２１に沿って離間した砥粒含有セグメントの形態をとる。図１ｅは、これらの例示的なセグメントに関する、寸法を追加した詳細図を示している。セグメントは、例えば、周縁部またはコア２１にろう付けされるか、あるいはその他の方法で固定される金属結合剤に保持された超砥粒を含むことができる。例えば、ダイヤモンドおよび立方窒化ホウ素（ｃＢＮ）などの超砥粒を、鉄、銅、およびスズなどの適切な金属結合剤と混合することで、超砥粒工具を製造することができる。次いで、その混合物を成形型内で圧縮して所望の形状（例えば、所望の幅、長さ、および曲率を有するセグメント）を形成する。次いで、「固まっていない」形成物を適切な温度で焼成して、多数の超砥粒が配置された結合セグメントを形成する。セグメントは、（例えば、ろう付け、電気めっき、またはレーザ結合によって）コア２１の周縁部に取り付けられる。
【００２２】
本発明の実施形態に従って構成され、切断要素１２に適した砥粒セグメント構造を有する丸鋸ブレードのさらなる詳細が、例えば、米国特許第５，５１８，４４３号明細書（砥粒の体積パーセントが交互に替わる砥粒セグメント）、米国特許第６，０３３，２９５号明細書（砥粒セグメント部分が硬化する）、および米国特許第５，８６８，１２５号明細書（刻み目のある砥粒セグメント）に提示されており、これら特許のそれぞれは、参照によりその全体を本明細書に援用するものとする。さらに、セグメント数を少なくし、折れ／曲がりに対する抵抗性を改善し、製造コストを下げるために、ブレード直径に比例して砥粒セグメントを長くすることができる。そのような一実施形態では、砥粒セグメント長さ／ブレード直径比は最小で０．２である。前記のように、比較的困難な切断作業に（例えば、コンクリート、アスファルト、石、および他の硬質材料を切断するのに）砥粒セグメントを使用することができる。
【００２３】
あるいは、鋸ブレード１０には、木材、プラスチックなどの比較的軟質の材料の切断を意図した、適用性の広い丸鋸ブレードの典型である歯の形態の切断要素１２を設けることができる。公知のように、歯は任意の大きさおよび形状とすることができる。さらに、歯には、タングステンカーバイドなどから作られる従来の硬化刃先を付けることができ、かつ／または砥粒を結合させることもできる。そのような例示的な一実施形態では、鋸ブレード１０には、米国特許第６，８１７，９３６号明細書および米国特許第６，９３５，９４０号明細書に記載のように、各歯の少なくとも一部に化学的に結合された砥粒の単層を有する複数の歯を設けることができ、これらの特許はそれぞれ、参照によりその全体を本明細書に援用するものとする。
【００２４】
あるいは、鋸ブレード１０には、（周縁部に結合セグメントを取り付けたり、または歯を設けたりするのではなく）コア２１の周縁部にろう付けされるか、電気めっきされるか、またはその他の方法で付着された砥粒の単層の形態の切断要素１２を設けることができる。本開示から明らかなように、切断要素１２の様々な構成および材料を本発明の実施形態に使用することができる。本発明は、特定の切断要素構成または方式に限定されることを意図するものではない。
【００２５】
例示的寸法（ミリメートル、ｍｍ）が図１ａ〜図１ｄにも示されている。これらの寸法は、製造可能な具体的かつ例示的な一実施形態として単に提示されているに過ぎない。一方、様々な寸法およびオフセットガレット構成を使用して、本発明の実施形態による鋸ブレードを構築できることが、本開示を考慮すれば容易に分かるであろう。本発明は、特定のセットまたは範囲のブレード寸法または構成に限定されることを意図するものではない。より正確に言えば、本発明の実施形態は、その意図した目的のために構築でき、本明細書で説明したオフセットガレットを用いて構成できる任意の鋸ブレードを対象とすることを意図したものである。
【００２６】
図２ａ、図２ｂ、および図２ｃは、本発明の別の実施形態に従って構成されたオフセットガレットの斜視図を示している。見て分かるように、丸鋸ブレード１０は、一連のオフセットガレット２１６によって分離された周縁切断要素１２を備えたコア２１を有する。切断要素１２およびコア２１に関する説明を含む、図１ａ〜１ｄを参照した前記の説明は、この場合にも同様に適用可能であり、オフセットガレット１６および鋸ブレード１０に関する全般的な説明も適用可能である。図２ａ〜２ｃに示す実施形態の主な相違は、オフセットガレット２１６の構造にある。
【００２７】
より詳細には、この例示的な実施形態の各オフセットガレット２１６は、（開口２２５、２２７として示した）音符形状の２つの開口を含む。特に、図２ｃに最もよく示すように、開口２２５はコア２１の側２１１にあり、開口２２７はコア２１の側２１０にある。この例のコア２１は、サンドイッチ型のコアとして示されていて、中間層２１２をさらに含み、この中間層は平面側２１０、２１１間に挟まれている。２つの開口２２５、２２７は互いにずれており、開口２２５が開口２２７の鏡像になるように、２つの開口を対称に分離する（架空の）平面に対して位置を合わされる。ガレット２１６の各開口２２５、２２７は、円形ブレードの周縁部から半径方向内側に延びる平行な側壁によって画定される首部分２１８を含む。側壁の一方は、首部分２１８の半径方向内側端で円形ベース部２２０につながっている。
【００２８】
代替の実施形態では、開口２２５、２２７は、前記のように部分的に重なることができることを思い起こされたい。さらに、他の開口構造を使用して、オフセットガレット２１６を設けることができる（例えば、首部分２１８のみを有する幅狭開口、または円形ベース部２２０の幅の「首」部分だけを有する幅広開口、または示したような鍵穴開口、または「Ｊ」字形状の開口、またはクエスチョンマークもしくは渦巻形状の開口。例示的な一実施形態では、オフセットガレット２１６は、米国特許第６，８７８，０５１号明細書に記載されているように、英数字、図形、および／または登録商標インディシア（ｉｎｄｉｃｉａ）の形態に成形された開口を使用して設けられる。別の例示的な実施形態では、米国意匠特許第４５８，９４８号、４５９，３７５号、４５９，３７６号、４５９，７４０号に示すように、直線的な鍵穴開口よりも半径方向に深く延び、直線的な鍵穴開口を組み入れた矢印形状の開口を使用して、オフセットガレット２１６が設けられる。別の例示的な実施形態では、例えば、米国特許出願公開第２００６／０２３６８３８号明細書に示すように、疲労およびクラックを低減するように設計された開口を使用して、オフセットガレット２１６が設けられる。これらの特許および出願はそれぞれ、参照によりその全体を本明細書に援用するものとする。より一般的な意味では、特定の鋸ブレード用のオフセットガレット２１６の開口構造は通常、そのブレードが使用されると予想される切断用途に基づいて選択される。
【００２９】
さらに、開口２２５、２２７は、開口２２５が開口２２７の鏡像になるように対称に配置されて示されていることに留意されたい。この対称および鏡像関係は、本発明のすべての実施形態に必要とされるわけではない。例えば、代替の実施形態では、開口２２７は１つの構造を有することができ、開口２２５は別の構造を有することができて、対称性および鏡像性はほとんどないか、または全くない（例えば、オフセットガレット２１６は互いに近接し、ずれているが、それぞれがコア２１のそれぞれの側にある、異なる形状の２つの開口で構成される）。さらに、開口２２５、２２７は同じ構造であるが、鏡像性を持たせないように同じ方向に向けることができる（例えば、各音符形状の開口２２５、２２７が同じ方向を向く）。一般的に、オフセットガレット２１６を構成する開口２２５、２２７は、所与の用途に対して要望通りの様々な形状および構成を有することができる。
【００３０】
本発明の実施形態についての前記の説明は、例示および説明のために提示された。前記の説明は、それに尽きること、または開示したそのままの形態に本発明を限定することを意図するものではない。本開示を考慮すれば、多数の修正および変形が実施可能である。本発明の範囲は、この詳細な説明によってではなく、本明細書に添付された特許請求の範囲によって限定される。
【図１ａ】
0005453315.tif 000002
【図１ｂ】
0005453315.tif 000003
【図１ｃ】
0005453315.tif 000004
【図１ｄ】
0005453315.tif 000005
【図１ｅ】
0005453315.tif 000006
【図２ａ】
0005453315.tif 000007
【図２ｂ】
0005453315.tif 000008
【図２ｃ】
0005453315.tif 000009